(57)【要約】      （修正有）【課題】三次元画像を見るための眼鏡を収納するカートに関するものである。【解決手段】三次元映画を見る前に、三次元眼鏡は引き出し２８、３０、３２、および３４内に格納することができ、三次元映画を見た後に、三次元眼鏡は左箱部６２および右箱部６４の中に投入され得る。典型的な実施形態においては、左箱部６２および右箱部６４は、三次元眼鏡１００への損傷を最小限にするための緩衝材層を備える。また、引き出し２８、３０、３２、および３４は、三次元眼鏡への損傷を最小限にするための緩衝材層を備える。【選択図】図５
2010235114.tif 000002
【特許請求の範囲】
【請求項１】
ベースと、
前記ベースに動作可能に接続される複数の車輪と、
前記ベースに接続される筺体と、
前記筺体内に収容され、その各々が緩衝材層を備える複数の引き出しと、
前記筺体内に収容され、その各々が緩衝材層を備える複数の箱部と、
前記箱部へのアクセスを可能にするように、前記筺体に旋回可能に接続され、その各々が互いに旋回可能に接続される複数の部分を備える複数のドアと、
前記引き出しへのアクセスを可能にするように、前記筺体に動作可能に接続されるシャッタードアと、
前記箱部へのアクセスを可能にする複数の開口部を画定する、前記筺体に接続される上ぶたと、を備え、
前記引き出しの前記緩衝材は帯電防止材料を備えており、前記箱部の前記緩衝材は帯電防止材料を備える、三次元眼鏡収納用カート。
【請求項２】
前記箱部は、前記筺体の両端における端部に配置され、前記引き出しは、前記筺体内における前記箱部の間に配置される請求項１に記載の三次元眼鏡収納用カート。
【請求項３】
移動式格納器機を供給し、
三次元映画の視聴者に三次元眼鏡を供給する前に、前記移動式格納器機に動作可能に接続されており、緩衝材層を備える引き出しの内部に前記三次元眼鏡を格納し、
前記三次元映画の視聴後に、前記三次元映画を見るために用いられた前記三次元眼鏡を、前記移動式格納器機に動作可能に接続されており、緩衝材層を備える箱部内に収納し、
互いに旋回可能に接続されている複数の部分を備える１つ以上のドアを利用して前記箱部へのアクセスを可能にし、
シャッタードアを利用して前記引き出しへのアクセスを可能にする動作、を含んでおり、
前記引き出しの前記緩衝材は帯電防止剤を備えており、前記箱部の前記緩衝材は、帯電防止剤を備える、三次元眼鏡を格納する方法。
【請求項４】
前記箱部は、前記筺体の両端における端部に配置され、前記引き出しは、前記筺体内における前記箱部の間に配置される請求項３に記載の方法。
【請求項５】
移動式格納器機を供給する手段と、
三次元映画の視聴者に三次元眼鏡を供給する前に、前記移動式格納器機に動作可能に接続されており、緩衝材層を備える引き出しの内部に前記三次元眼鏡を格納する手段と、
前記三次元映画の視聴後に、前記三次元映画を見るために用いられた前記三次元眼鏡を、前記移動式格納器機に動作可能に接続されており、緩衝材層を備える箱部内に収納する手段と、
互いに旋回可能に接続されている複数の部分を備える１つ以上のドアを利用して前記箱部へのアクセスを可能にする手段と、
シャッタードアを利用して前記引き出しへのアクセスを可能にする手段と、を備えており、
前記引き出しの前記緩衝材は帯電防止剤を備えており、前記箱部の前記緩衝材は、帯電防止剤を備える、三次元眼鏡を格納するシステム。
【請求項６】
前記箱部は、前記筺体の両端における端部に配置され、前記引き出しは、前記筺体内における前記箱部の間に配置される請求項５に記載のシステム。
【請求項７】
ベースと、
前記ベースに動作可能に接続される複数の車輪と、
前記ベースに接続され、そこから延伸して、間隙を介して配置される複数の垂直サポートと、
間隙を介して配置される一対の開口部を画定する前記垂直サポートの上端に接続される第１の水平サポートと、
前記第１の水平サポートと間隙を介して配置され、一対の前記垂直サポートの前記上端に接続される第２の水平サポートと、
その各々が前記垂直サポートの下端に接続され、間隙を介して配置された一組の第３の水平サポートと、を備えており、
前記ベースに接続されている筺体と、
前記一組の前記垂直サポートの間に支持されるように、前記筺体内に収容され、その各々が緩衝材層を備える複数の引き出しと、
その各々が対応する１つの前記第３の水平サポート上で支持されるように、前記筺体内に収容され、その各々が緩衝材層を備える複数の箱部と、
前記箱部へのアクセスを可能にするように、前記筺体の他の一対の前記垂直サポートに旋回可能に接続され、その各々が互いに旋回可能に接続される複数の部分を備える複数のＵ字形のドアと、
前記引き出しへのアクセスを可能にするように、前記筺体の前記一対の垂直サポートに動作可能に接続されるシャッタードアと、
中央凹部を備えており、前記箱部へのアクセスを可能にする複数の開口部を画定する、前記筺体に接続される上ぶたと、を備えており、
前記引き出しの前記緩衝材は帯電防止材料を備えており、前記箱部の前記緩衝材は帯電防止材料を備える三次元眼鏡収納用カート。
【発明の詳細な説明】
【技術分野】
【０００１】
この出願は、２００９年３月３０日に出願された米国暫定特許出願番号６１／１６４７８１の優先権を主張するものであり、そこに開示された内容は、参照して本明細書中に組み込まれる。
【０００２】
この発明は、三次元画像を見るための眼鏡を収納するカートに関するものである。
【図面の簡単な説明】
【０００３】
【図１】典型的な実施形態における、三次元眼鏡を収納するカートを示す正面斜視図である。
【図２】図１に示した三次元眼鏡を収納するカートを示す後面斜視図である。
【図３】図１に示した三次元眼鏡を収納するカートを示す正面図である。
【図４】図１に示した三次元眼鏡を収納するカートを示す上面図である。
【図５】種々のオープンコンパートメントを示した、図１の三次元眼鏡を収納するカートを示す正面斜視図である。
【図６】図１に示した三次元眼鏡を収納するカートを示す正面分解図である。
【図７】図１に示した三次元眼鏡を収納するカートの一部を示す正面図である。
【図８】種々のオープンコンパートメントを示した、図１の三次元眼鏡を収納するカートを示す正面図である。
【図９】種々のオープンコンパートメントを示した、図５の三次元眼鏡を収納するカートを示す上面図である。
【図１０】種々のオープンコンパートメントを示した、図１の三次元眼鏡を収納するカートを示す端面図である。
【図１１】図１に示した三次元眼鏡を収納するカートの収納用箱部の部分断面図である。
【図１２】図５に示した三次元眼鏡を収納するカートの部分断面図である。
【図１３】図１に示した三次元眼鏡を収納するカートの引き出しを示す上面図である。
【図１４】（ａ）は、種々のオープンコンパートメントを示した、図１の三次元眼鏡を収納するカートを示す正面図であり、（ｂ）は、（ａ）の三次元眼鏡を収納するカートの引き出しを示す上面図であり、また（ｃ）は、（ｂ）の三次元眼鏡を収納するカートの引き出しの部分断面図である。
【発明を実施するための形態】
【０００４】
下記の図面および説明において、同等の部品各々は、明細書および図面にわたって、同一の参照番号を用いて示される。図面は、必ずしも原寸に比例しているわけではない。本発明のいくつかの特徴は、縮尺において誇張されているか、またはある程度概略図の形態となっており、従来技術によるいくつかの要素の細部は、明確さおよび簡潔さを優先するために示されない場合がある。本発明は、異なる形態の実施形態を許す。本発明の開示は、本発明の原則の例示としてみなされ、本発明を本明細書中に図示および記述されるものに限定するものではないという理解に基づいて、特定の実施形態が詳細に記述され、図面に示される。下に考察される実施形態の異なる教示は、別々に、または所望の結果を実現するためのいかなる適した組み合わせにおいても採用され得ることが十分に認識される。上述の種々の特徴、ならびに下により詳細に記載される他の特長および特性は、添付した図面を参照し、下記の実施形態の詳細説明を読むことにより、当業者によって容易に明らかとなるだろう。
【０００５】
図１〜図１４を参照すると、三次元眼鏡用カート１０の典型的な実施形態は、間隙を介して配置された垂直パネル１４および１６の下端と接続されている上部表面を有する水平ベースパネル１２を備える。垂直パネルの上端は、間隙を介して配置される左開口部１８ａおよび右開口部１８ｂを画定する水平サポートパネル１８の下面に接続される。間隙を介して配置される一組の水平サポート２０ａおよび２０ｂ、２２ａおよび２２ｂ、２４ａおよび２４ｂ、並びに２６ａおよび２６ｂ各々は、対応する引き出し２８、３０、３２、および３４各々をスライド可能に支持するように、垂直パネル１４および１６の内側の対向する側面に、互いに対向して接続される。
【０００６】
左水平棚３６および右水平棚３８の内側の端面は、それぞれ垂直パネル１４および１６の外側面に接続され、そこから延伸する。左垂直パネル４０および右垂直パネル４２の下端は、水平ベースパネル１２の上面の両端における外側端に接続され、左垂直パネルおよび右垂直パネルの上端は、水平サポートパネル１８の下面の両端における外側端に接続される。左水平棚３６および右水平棚３８の外側面の端面各々は、それぞれ左垂直パネル４０および右垂直パネル４２の内側面に接続され、そこから延伸する。
【０００７】
左ハンドルサポート４４および右ハンドルサポート４６は、水平サポートパネル１８の上面の両端における外側端に接続される。また、間隙を介して配置される垂直サポート４８および５０の下端は、水平サポートパネルの上面に接続される。水平パネル５２の端部は、垂直サポート４８および５０の内側面に接続される。カートベース５４の上面は、水平ベースパネル１２の下面に接続される。また、複数のカート車輪５６ａ、５６ｂ、５６ｃ、および５６ｄは、カートベースの四隅の近辺においてカートベースの下面に接続されている。
【０００８】
上部収集箱部５８は、左開口部５８ａおよび右開口部５８ｂを画定し、上部収集箱部の左端部５８ｄと右端部５８ｅとの間でブリッジを形成する中央水平サポート５８ｃを備える。上部収集箱部５８の左端部５８ｄの下面と、右端部５８ｅの下面は、対向する水平サポートパネル１８の上面に接続される。また、左開口部５８ａおよび右開口部５８ｂは、それぞれ水平サポートパネルの左開口部１８ａおよび右開口部１８ｂの上方に配置される。
【０００９】
引き出し６０は、垂直サポートと、水平パネル５２と、上部収集箱部５８の水平サポート５８ｃとの間に画定されるチャンバー内において、間隙を介して配置された垂直サポート４８および５０にスライド可能に接続される。取り外し可能な左箱部６２および右箱部６４は、左水平棚および右水平棚、垂直パネル１４および１６、垂直パネル４０および４２、並びに水平サポートパネル１８の間に画定されるチャンバー内において、それぞれ左水平棚３６および右水平棚３８に支持される。
【００１０】
左アクセスドア６６および右アクセスドア６８は、左箱部６２および右箱部６４各々へのアクセスを可能にするように、それぞれ垂直パネル１４および１６の後部端面に旋回可能に接続される。図５および図６に示される典型的な実施形態において、アクセスドア６６および６８の１つまたは両方は、ドア各々が互いに対して旋回し得るための複数の部品を備えることを可能にするように、１つ以上の内部ヒンジを備える。従来型のシャッタードア７０は、引き出し２８、３０、３２、および３４へのアクセスを制御するように、垂直パネル１４および１６に動作可能に接続される。
【００１１】
図８、図１０および図１１に示すように、カート１０の操作中に、三次元眼鏡１００は、左箱部６２および右箱部６４の中に投入され得る。また、図１４（ｃ）に示すように、三次元眼鏡は、最初引き出し２８、３０、３２、および３４に格納され得る。このようにして、三次元映画を見る前に、三次元眼鏡１００は引き出し２８、３０、３２、および３４内に格納することができ、三次元映画を見た後に、三次元眼鏡は左箱部６２および右箱部６４の中に投入され得る。典型的な実施形態においては、図１０および図１１に示すように、左箱部６２および右箱部６４は、三次元眼鏡１００への損傷を最小限にするための緩衝材層６２ａおよび６４ａを備える。図１４（ｃ）に示される典型的な実施形態においては、引き出し２８、３０、３２、および３４は、三次元眼鏡１００への損傷を最小限にするための緩衝材層３４ａを備える。
【００１２】
典型的な実施形態において、緩衝材層３４ａ、６２ａおよび６４ａは、三次元眼鏡１００を破損する可能性のある静電気を防止する従来型の帯電防止材料を備える。
【００１３】
三次元眼鏡用カートは、ベースと、前記ベースに動作可能に接続される複数の車輪と、前記ベースに接続される筺体と、前記筺体内に収容され、その各々が緩衝材層を備える複数の引き出しと、前記筺体内に収容され、その各々が緩衝材層を備える複数の箱部と、前記箱部へのアクセスを可能にするように、前記筺体に旋回可能に接続され、その各々が互いに旋回可能に接続される複数の部分を備える複数のドアと、前記引き出しへのアクセスを可能にするように、前記筺体に動作可能に接続されるシャッタードアと、前記箱部へのアクセスを可能にする複数の開口部を画定する、前記筺体に接続される上ぶたと、を備えており、前記引き出しの前記緩衝材は帯電防止材料を備えており、前記箱部の前記緩衝材は帯電防止材料を備えると記述された。
【００１４】
三次元眼鏡を格納する方法は、移動式格納器機を供給し、三次元映画の視聴者に三次元眼鏡を供給する前に、前記移動式格納器機に動作可能に接続され、緩衝材層を備える引き出しの内部に前記三次元眼鏡を格納し、前記三次元映画の視聴後に、前記三次元映画を見るために用いられた前記三次元眼鏡を、前記移動式格納器機に動作可能に接続され、緩衝材層を備える箱部内に収納し、互いに旋回可能に接続される複数の部分をを備える１つ以上のドアを利用して前記箱部へのアクセスを可能にし、シャッタードアを利用して前記引き出しへのアクセスを可能にする動作、を含んでおり、前記引き出しの前記緩衝材は帯電防止剤を備えており、前記箱部の前記緩衝材は帯電防止剤を備えると記述された。
【００１５】
本発明の範囲から逸脱せずに、上述された範囲内において変形がなされ得ることが理解される。特定の実施形態が示され、説明されたが、本発明の精神または教示から逸脱せずに、当業者によって種々の変更がされ得る。上述の実施形態は、単に例示的なものであり、それに限定するものではない。多くの変形および変更が可能であり、それらは本発明の範囲内である。したがって、保護されるべき範囲は、説明された実施形態に限定されず、下記の請求項のみにより限定され、その範囲は、請求項の対象にすべての同等物を包含する。
【図１】
2010235114.tif 000003
【図２】
2010235114.tif 000004
【図３】
2010235114.tif 000005
【図４】
2010235114.tif 000006
【図５】
2010235114.tif 000007
【図６】
2010235114.tif 000008
【図７】
2010235114.tif 000009
【図８】
2010235114.tif 000010
【図９】
2010235114.tif 000011
【図１０】
2010235114.tif 000012
【図１１】
2010235114.tif 000013
【図１２】
2010235114.tif 000014
【図１３】
2010235114.tif 000015
【図１４】
2010235114.tif 000016
【外国語明細書】
2010235114000001.pdf